(57)【特許請求の範囲】
【請求項１】
それぞれ独立回動するように錠ケースに支承された内側把手用内駆動カム並びに外側把手用外駆動カムと、錠ケースに内装された電気式アクチュエーターの作動杆の動力が作用する出没部材用施解錠手段と、この施解錠手段の一部を構成するために錠ケースに軸支され、かつ、錠ケースと螺合する押え具で規制されるか否かにより内外の区別が決まる一対の押し当て片とを備え、前記押え具は錠ケースのフロントに設けられた２個のメネジに扉が左右いずれの側から開くかにより選択的に螺着し、この押え具が前記メネジに螺着すると、施解錠手段がアンチパニックの状態となり、一方、押え具がメネジに螺着していない場合、フロント側に配設された外押し当て片は、外側把手用外駆動カムの駆動力によって回転する外従動係合板と係脱する外側係止片から離間した位置にあり、また前記電気式アクチュエーターは外側からのキー操作によって回動する回動体と連結していることを特徴とするアンチパニック式電気錠の把手用駆動カムを内外に設定する機構。
【請求項２】
請求項１に於いて、外側係止片は、頭部が出没部材と係合する作動レバーの枢軸に外従動係合板と係脱するように軸支され、かつ、電気式アクチュエーターの作動杆の伸縮動によって回転する規制片にバネ力で圧接することを特徴とするアンチパニック式電気錠の把手用駆動カムを内外に設定する機構。
【請求項３】
請求項２に於いて、規制片は、電気式アクチュエーターの作動杆と外側係止片との間に位置するように錠ケースに軸支されていることを特徴とするアンチパニック式電気錠の把手用駆動カムを内外に設定する機構。
【請求項４】
請求項１に於いて、錠ケースには、外駆動カムの衝突部と衝打する受け止め片が固定的に配設されていることを特徴とするアンチパニック式電気錠の把手用駆動カムを内外に設定する機構。
【発明の詳細な説明】
【０００１】
【産業上の利用分野】
本発明は、例えばホテルの客室の扉に取付けられるアンチパニック式電気錠の把手用駆動カムを内外に設定する機構に関する。
【０００２】
【従来の技術】
従来、ホテルの客室の扉に取付けられる電気錠の一例としてアンチパニック式電気錠がある。この電気錠は基本的には室内側の把手と室外側の把手とにそれぞれ連結される内外の駆動カムを錠ケースに回動自在に設け、これら内外の駆動カムは、それぞれ独立して回動し得る。また錠ケースには複数個の部材の組み合わせから成り、かつ、外側の回動部材の回動のみを規制する施解錠手段を設け、さらに、錠ケースには制御装置と電気的に接続し、かつ、前記施解錠手段を駆動するソレノイドが内装されている。
【０００３】
しかして、この電気錠に於いては、扉を閉じた場合に制御装置からの施錠信号に基づきソレノイドが作動すると、これにより室外側の把手に対して施錠状態が保持される反面、室内側の回動部材は機構的に常に解錠状態になっているので、室内側の把手を回転すると、出没部材は錠ケースのフロント内に没入する。したがって、室内側から見て、アンチパニック（ソレノイドの作動で室外側から出没部材が施錠状態となっても、室内側から内側把手を回転し、出没部材を自由に解錠状態にすることができる。）である。
【０００４】
ところで、ホテルの客室などに取付けられる扉は、左開きがもあれば右開きもある。したがって、この種の電気錠には、一般的に扉が左右いずれの側から開くかにより錠ケースに組み込まれた一対の把手用駆動カムを内外に選択的に設定する機構が設けられている。
【０００５】
そこで、アンチパニック式電気錠の把手用駆動カムを内外に設定する機構の一例を図１３に示す。この実施例は、先に出願人が提案し、すでに出願公告されている（実公平３ー１６３６９号公報）。
【０００６】
しかして、この実施例を説明するに当たって、便宜上、出願公告時の公報記載の用語・符号と同様の用語・符号を用いる。まず図１３は、外側の側壁面側から見た要部の概略説明図である。次に符号２８Ａ（２７Ａ）は外側・内側の係止レバーである。内側係止レバー２７Ａは図面上見えないが、錠箱１Ａの底壁２Ａに形成した２個のメネジ３Ａのいずれか一方に螺着された解除ねじ３０Ａに押され、第１及び第２作動カム２４Ａ、２３Ａの内、内作動カムに相当する第１作動カム２３Ａの係止切欠２５Ａから離れている。したがって、内側把手で第１作動カム２３Ａを回転しても、第１作動カム２３Ａは内側係止レバー２７Ａに邪魔されることなく自由に回転する（アンチパニックである）。
【０００７】
次に外側係止レバー２８Ａは、錠箱１Ａの底壁２Ａのメネジ３Ａに解除ねじ３０Ａが螺着していないため、いわばフリーである。すなわち、外側係止レバー２８Ａは第２支軸２９Ａに軸支され、かつ、係止レバー用ばね３３Ａにより常時外側作動カムに相当する第２作動カム２４Ａ方向に付勢され、電気（電磁）アクチュエータ３４Ａの作動杆３５Ａの伸縮動如何によって前記係止切欠２５Ａと係脱する。図１３では電気（電磁）アクチュエータ３４Ａの作動杆３５Ａが収縮したために、錠箱１Ａに支軸３８Ａを介して軸支された先端部鉤状の駆動レバー３７Ａが矢印で示す反時計方向に回転し、その結果、外側係止レバー２８Ａがピン３２Ａを介して時計方向に回転した状態を示す。この時第２作動カム２４Ａは、第１作動カム２３Ａと同様に外側係止レバー２８Ａに邪魔されることなく自由に回転する。一方、電気（電磁）アクチュエータ３４Ａの作動杆３５Ａが伸長すると、施解錠手段を構成する駆動レバー３７Ａ、外側係止レバー２８Ａはそれぞれ逆方向に回転し、外側係止レバー２８Ａが第２作動カム２４Ａの係止切欠２５Ａに係合し、施錠状態となる。
【０００８】
上記アンチパニック式電気錠に於いては、解除ねじ３０Ａを錠箱１Ａの底壁２Ａに形成した２個のメネジ３Ａのいずれかに螺着するかによって、外側係止レバー２８Ａが選択的に特定される。
【０００９】
しかしながら、この電気錠の把手用作動（駆動）カムを内外に設定する機構は、次に列挙するような欠点があった。
▲１▼解除ねじ３０Ａが螺着する２個のメネジ３Ａが錠箱１Ａの底壁２Ａに形成されているため、一旦錠箱１Ａを扉に取付けた後は、外側係止レバー２８Ａを自由に変更することができない。すなわち、外側係止レバー２８Ａを内側係止レバー２７Ａに変更する場合には扉からわざわざ錠箱１Ａを取外し、その後解除ねじ３０Ａの位置を変えなければならない。
▲２▼外側係止レバー２８Ａの回動は、専用の電気（電磁）アクチュエータ３４Ａの作動杆３５Ａの伸縮動によるため、錠機構全体が複雑化せざるを得ない。すなわち、外側からのキー操作によって回動する回動体（これにはシリンダー錠が取付けられる。）を施解錠するたの第２電気（電磁）アクチュエータとは別個に内外係止レバー専用の電気（電磁）アクチュエータ３４Ａを錠箱１Ａに内装する必要があり、そのため錠箱１Ａ自体を小さくすることができないのみならず、駆動レバー３７Ａ等も設けなければならないので、構成する部品点数が必然的に多くなる。
【００１０】
【発明が解決しようとする課題】
本発明は以上のような従来の欠点に鑑み、上記▲１▼の欠点を解消し、また上記▲２▼の部品点数を極力少なくするという目的を合理的手段により十分に満たすことができ、さらに、組立てが容易であるアンチパニック式電気錠の把手用駆動カムを内外に設定する機構を得ることである。
【００１１】
【課題を解決するための手段】
本発明のアンチパニック式電気錠の把手用駆動カムを内外に設定する機構は、それぞれ独立回動するように錠ケースに支承された内側把手用内駆動カム並びに外側把手用外駆動カムと、錠ケースに内装された電気式アクチュエーターの作動杆の動力が作用する出没部材用施解錠手段と、この施解錠手段の一部を構成するために錠ケースに軸支され、かつ、錠ケースと螺合する押え具で規制されるか否かにより内外の区別が決まる一対の押し当て片とを備え、前記押え具は錠ケースのフロントに設けられた２個のメネジに扉が左右いずれの側から開くかにより選択的に螺着し、この押え具が前記メネジに螺着すると、施解錠手段がアンチパニックの状態となり、一方、押え具がメネジに螺着していない場合、フロント側に配設された外押し当て片は、外側把手用外駆動カムの駆動力によって回転する外従動係合板と係脱する外側係止片から離間した位置にあり、また前記電気式アクチュエーターは外側からのキー操作によって回動する回動体と連結していることを特徴とする。
【００１２】
【作用】
押え具を錠ケースのフロントに設けた２個のメネジのいずれかに螺着するかによって、外側係止片が選択的に特定される。
【００１３】
まず押え具がメネジに螺着していない場合、フロント側に配設された外押し当て片は、外側把手用外駆動カムの駆動力によって回転する外従動係合板と係脱する外側係止片から離間した位置にある。そして、回動体が施錠の位置にある時、外側係止片は外従動係合板から離れている。したがって、外駆動カムが回転しても、この回転力は外側係止片を介して作動レバーに伝達しない。それ故に出没部材を没入させることができない。
【００１４】
そこで、回動体がキー操作により解錠方向へ回転すると、外側係止片は回動体と連結する電気式アクチュエーターの作動杆の伸長に従って回転する規制片を介し、外従動係合板に係合する。この場合外側把手で外駆動カムを回転させると、外駆動カムの駆動力は各部材に伝達し、出没部材は錠ケース内に没入する。なお、電気式アクチュエータは制御装置から解錠信号が送られてきた場合にはその作動杆が伸長し、外側係止片が外従動係合板に係合する。この様にキーによる機械的解錠操作により、又は電気的解錠作動により回動体が解錠方向へ回転した場合、規制片はスライド押圧片により押されて回転し、外側係止片は外従動係合板に係合する。
【００１５】
一方、押え具がメネジに螺着している場合、押え具で押さえられた内側係止片は内従動係合板に常に係合し、いわゆるアンチパニックの状態であり、内駆動カムを回転させることにより出没部材をいつでも没入させることができる。
【００１６】
【実施例】
以下、図面に示す実施例により本発明を詳細に説明する。図１ないし図１２において、１は長箱錠の錠ケースである。この錠ケース１は、例えば研究所の研究室、ホテルの客室などの扉に設けられる電気錠の一部を構成する。錠ケース１はフロント２を有し、このフロント２の適宜箇所には、出没部材３用の開口４が形成されている。錠ケース１内には出没部材を始めとし、錠機構を構成する色々な部材が組み込まれている。
【００１７】
そこで、まず出没部材３について説明する。出没部材３は本実施例ではデッドロッキングラッチ（デッドラッチと称する。）が使用され、扉の開閉時そのラッチ頭部３ａをデッドの位置又はラッチの位置に設定することができる。すなわち、出没部材３のラッチ頭部３ａは扉を閉じた時には開口４から完全に突出してデッドの位置となり、一方、扉を開いた場合、開口４から完全に突出せず、いわゆるラッチの位置となる。
【００１８】
したがって、そのために錠ケース１の下部には出没部材用の進退動片５ａを有するデッドラッチ機構５が組み込まれている。
【００１９】
なお、出没部材３のラッチ頭部３ａは左右いずれの方向にでも変換し、かつ、固定することができる。
【００２０】
ところで、出没部材３としてのデッドラッチは、錠ケース１内に位置する空洞状の胴部３ｂを有し、この胴部３ｂには下方方向に脚部３ｃが延伸している。そして、ラッチ頭部３ａと脚部３ｃとの間にはラッチ突起部３ｄが設けられ、このラッチ突起部３ｄはフロント２の開口４附近に位置するストッパーピン６に当接している。出没部材３は錠ケース１内に適宜に設けられたコイルスプリング、板バネなどのラッチバネ７により常時一方向に付勢されている。なお、８は錠ケース１の一側壁１ａに設けられ、前記ラッチバネ７の後端部を支持するラッチバネ受けである。
【００２１】
次に１０は錠ケース１の上部に位置する軸受部材である。この軸受部材１０は錠ケース１の一側壁１ａに固定される取付けベース部１０ａと、この取付けベース部１０ａに突出形成され、かつ、中央部に環状の軸孔を有する環状部１０ｂとから成る。そして、前記取付けベース部１０ａの一端部側には、上下方向に２個のピン１１、１２が固定的に設けられている。
【００２２】
１３は後端部が枢軸としての前記下方ピン１２に枢支された出没部材用のストッパーで、このストッパー１３の先端部１３ａはフロント２の開口４内に臨んでいる。ストッパー１３は下方ピン１２に装着されたストッパー用バネ１４により常時出没部材３の胴部３ｂ方向に付勢されている。
【００２３】
１５は軸受部材１０の環状部１０ｂに回動可能に嵌着するキー側の回動体である。この回動体１５の円筒状部１５ａには任意形状の係合孔が形成されている。図示しないシリンダー錠はこの係合孔と係合する連結バーを介して回動体１５に連結される。したがって、扉の外側からキーを操作すると、回動体１５は左右いずれかの方向に回転する。
【００２４】
ところで、回動体１５はその円筒状部１５ａから半径方向に延伸する駆動アーム１５ｂを有する。また回動体１５には一定の角度範囲で回転するように図示しないストッパー用小突起と当接する突起部１５ｃが形成されている。
【００２５】
次に１６は錠ケース１の略中央部の右側（図１を基準）に設けられた電気（電磁）式アクチュエータで、この電気式アクチュエータ１６は本実施例では支持フレーム１７を介して横設され、その作動杆は前記回動体１５と適宜に連結している。電気式アクチュエータ１６は、回動体１５と後述する内・外の駆動カムとの間に配設され、回動体１５を施解錠するため及び後述する外駆動カムとの関係に於いて、外側係止片、外従動係合板などの施錠手段を施解錠するために使用されている。
【００２６】
しかして、電気式アクチュエータ１６は通電により極性が変化するいくつかの磁性体を内蔵し、その作動杆１８は磁性体の極性に対応して伸長または収縮する。作動杆１８は、例えば通電時に伸長し（図２で示す状態）、一方、非通電時には収縮する（図１で示す状態）。なお、電気式アクチュエータ１６は図示しない制御装置と電気的に接続している。
【００２７】
次に２０は上端部側が連結片２１を介して回動体１５の駆動アーム１５ｂに連結され、一方、下端部側が電気式アクチュエータ１６の作動杆１８に固定されたスライド押圧片である。このスライド押圧片２０は、図８を基準にすると、電気式アクチュエータ１６よりも上方に位置する幅広のガイド板部２０ａと、このガイド板部２０ａの下部の左側に延設された水平中央部２０ｂと、この水平中央部２０ｂの先端部と垂直方向に連設する押圧部２０ｃとから成り、前記押圧部２０ｃの下端部は直角方向に多少折曲している。
【００２８】
しかして、前記ガイド板部２０ａの上部には水平ガイド長孔２２が形成され、このガイド長孔２２を錠ケース１の一側壁１ａに固定的に設けられた第１固定軸２３が貫通している。したがって、スライド押圧片２０は第１固定軸２３に案内・支持される格好と成る。またガイド板部２０ａの中央部には前記水平ガイド長孔２２よりも幅狭の垂直ガイド長孔２４が形成され、この垂直ガイド長孔２４には全体として逆「く」の字形に折曲形成された連結片２１の可動係合ピン２５が係合している。前記連結片２１が第１固定軸２３に枢支されているので、可動係合ピン２５は連結片２１が第１固定軸２３を支点に円周方向へ回転する際、スライド押圧片２０を左右にスライドさせる駆動ピンの役割を果たしている。さらに、ガイド板部２０ａの下部には錠ケース１の一側壁１ａに設けられた固定ガイドピン２６と係合する案内部としての切欠２７が形成されている。
【００２９】
次に３０は錠ケース１の略中央部に第２固定軸３１を介して回動可能に枢支された係止片用の規制片である。しかして、この規制片３０は、図３及び図８で示すように錠ケース１の一側壁１ａと対面する垂直ベース部３０ａに第２固定軸３１用の軸孔３２を有し、垂直ベース部３０ａの上部にはスライド押圧片２０の押圧部２０ｃと当接する当接ピン３３が植設されている。また垂直ベース部３０ａの上部は、スライド押圧片２０の水平中央部２０ｂ側にアーム状に伸び、かつ、該アーム状部の先端部には前記水平中央部２０ｂの裏面と当接する揺れ防止部３０ｂが折曲形成されている。一方、垂直ベース部３０ａの下部には該垂直ベース部と交差方向にコ字型の規制部３０ｃが連設している。なお、前記規制部３０ｃに形成された切欠部３４は次に説明する作動レバー用の逃がし部の機能を有している。
【００３０】
次に３６は錠ケース１に植設された第３固定軸３７に揺動可能に枢支された出没部材用作動レバーである。この作動レバー３６の形状は、図４で示すように人間の姿態に例えると、「跳び上がって脚を後ろに折り曲げかつ手を背面側に延ばした格好」をしている。そこで、作動レバー３６の形状を具体的に説明すると、３８は出没部材３の胴部３ｂ内に入り込む係合頭部で、この係合頭部３８は前記胴部３ｂから多少突出し、ストッパー１３の下方テーパー面と当接している。３９は第３固定軸３７が貫通する軸孔４０を有する枢支脚部で、この枢支脚部３９と係合頭部３８の間が、いわば首部に連設する胴部４１である。したがって、係合頭部３８ないし枢支脚部３９の全体的な形状は「く」の字状である。もちろん、設計如何によっては係合頭部３８ないし枢支脚部３９の全体的な形状は「Ｌ型」、「Ｖ型」などに形成することができる。４２は胴部４１の背面側に多少伸びる仕切りアーム部である。なお、作動レバー３６の首部４３は錠ケースに固定的に設けられたストッパーピン４４と当接する。
【００３１】
次に４５は作動レバー３６の胴部４１に固定的に設けられた枢軸で、この枢軸４５は図７で示すように左右（左側が扉の内側に、一方、右側が扉の外側に相当する。）にそれぞれ突出している。しかして、枢軸４５の左側には内側係止片４６が、一方、枢軸４５の右側には外側係止片４７がそれぞれ回動可能に装着されている。内側係止片４６と外側係止片４７は、互いに対称的に形成され、図４で示すように軸筒部４６ａ、４７ａと、軸筒部４６ａ、４７ａから一方向に弧状に伸びる弧状当接部４６ｂ、４７ｂと、弧状当接部４６ｂ、４７ｂの自由端部に鉤状に形成された係止部４６ｃ、４７ｃとから成る。これら内外の係止片４６、４７は、枢軸４５の左右の突出部にそれぞれ装着された係止片４６、４７用の内外の開きバネ４８、４９により一方向に常時付勢されている。
【００３２】
なお、作動レバー３６の胴部４１と枢支脚部３９との折曲部には内外にバネ受け用突起部５０が設けられ、内外の開きバネ４８、４９の一端部はこの突起部５０に、一方、それらの他端部は係止片４６、４７の弧状当接部４６ｂ、４７ｂの内面にそれぞれ圧接している。
【００３３】
次に５１は前記第３固定軸３７に装着され、かつ、作動レバー３６を常時一方向に付勢する板バネ、開きバネなどの第１バネ部材である。この第１バネ部材５１の一端部は作動レバー３６の前記突起部５０に圧接し、一方、他端部は錠ケース１の下部に固定的に設けられたバネ装着用部材５２の環状溝５２ａに圧接係合している。前記バネ装着部材５２は、図５で示すように中央部の環状溝５２ａを基準にして、左側に内円筒部５３を、一方、右側に外円筒部５４を有する。
【００３４】
次に５５は作動レバー３６の一側壁（左側又は内側）に位置するように前記第３固定軸３７の内端部側に回動可能に装着された内従動係合板である。一方、５６は作動レバー３６の他側壁（右側又は外側）に位置するように前記第３固定軸３７の外端部側に回動可能に装着された外従動係合板である。これら内外の従動係合板５５、５６は、図５で示すように相互に対称的な形態をし、内側及び外側係止片４６、４７の下方に位置している。
【００３５】
そこで、便宜上同一符号を付して外従動係合板５６について説明すると、５７は第３固定軸３７と嵌合する軸筒部である。５８は外側係止片４７の弧状当接部４７ｂと略同じ曲率を有する弧状係合部である。この弧状係合部５８は出没部材３を錠ケース１内に没入（解錠）させる時には外側係止片４７の係止部４７ｃと係合する。
【００３６】
５９は後述する外駆動カムと摺接するローラ状のカム摺接部である。このカム摺接部５９は外従動係合板５６をやや傾斜状に切欠して形成された中途部の湾状部６０に臨むように設けられている。６１はバネ受け突起で、このバネ受け突起６１は外従動係合板５６の幅狭の右端部に設けられている。
【００３７】
６２、６３はバネ装着部材５２の内外の円筒部５３、５４に装着され、かつ、それぞれ対応する内外の従動係合板５５、５６を一方向（駆動カムと当接する方向）に付勢する内・外のバネである。そこでまた便宜上外バネ６３について説明すると、その一端部は、錠ケース１の底壁の内面に、一方、他端部は外従動係合板５６のバネ受け突起６１にそれぞれ圧接している。
【００３８】
次に、６５、６６は前述した内外の従動係合板５５、５６と電気式アクチュエータ１６との間に位置し、かつ、相互に同形に形成された内外駆動カムである。これらの駆動カム６５、６６は当然のことながら、内駆動カム６５は内従動係合板５５のカム摺接部５９と、一方、外駆動カム６６は外従動係合板５６のカム摺接部５９とそれぞれ摺接する。
【００３９】
そこで、便宜上同一符号を付して外駆動カム６６の機能的な形態について説明すると、６７は把手用軸孔６８を有するボス部で、このボス部６７は錠ケース１の側壁に形成された嵌合孔に支承される。６９は前記ボス部６７の左側上部に突出形成された衝突部で、この衝突部６９は外駆動カム６６が把手の操作で勢い良く時計方向に回転した時に受け止め片７０に当たる。この受け止め片７０は電気式アクチュエータ１６と外駆動カム６６の間に位置するように錠ケース１に適宜固定されている。
【００４０】
一方、７１はボス部６７の右側に膨出状に突出形成されたカム当接部で、このカム当接部７１は当り面７１ａを有し、把手が所定量以上回転しないようにカムストッパー７２と当接している。このカムストッパー７２は前記受け止め片７０のやや右下に位置し、錠ケース１に適宜に固定されている。また７３はボス部６７の左側下部に突出形成された突起である。したがって、この突起７３と前記カム当接部との間に外従動係合板５６の湾状部６０が係合する湾状のカム用係合切欠部７４が設けられている。
【００４１】
なお、７５は外内の駆動カム６５、６６の間に設けられたスペーサリングで、このスペーサリング７５は内外の駆動カム６５、６６が互いのボス部の干渉を避け、スムースに同軸かつ相互に単独回転できるよう設けられている。
【００４２】
次に８０は外側係止片４７の上方に所要空間８１を有して錠ケース１に配設された外押し当て片である。一方、８２は外側係止片４７と対抗するように同じく錠ケース１に配設された内押し当て片である。この内押し当て片８２は内側係合片４６の弧状当接部４６ｂの外壁面と当接している。この外押し当て片８０と内押し当て片８２の区別は、錠ケース１を扉に取付ける際、当該扉が左右いずれの側から開放するかによって選択的に決定される。
【００４３】
すなわち、図１で示すように内外の押し当て片８２、８０は、錠ケース１に横架された第４固定軸８３に同軸状態で枢支され、またそれぞれバネ８４、８４で一方向に付勢されているが、フロント２側のオネジなどの押え具８５がフロントに設けた左右のメネジ８６、８７のいずれかに螺着すると一方の係止片４６を押え付け、逆に、押え具８５が前記メネジ８６、８７のいずれかに螺着していないと他方の係止片４７から離間している。
【００４４】
ところで、内外の押し当て片８０、８２は、図１１及び図１２で示すように鍔状の垂直壁８０ａ、８２ａをそれぞれ有し、その垂直壁８０ａには対向する内側・外側係止片４６、４７の弧状当接部４６ｂ、４７ｂと当接可能なナイフ状の押さえ部８０ｂ、８２ｂが連設している。そして、前記バネ８４は第４固定軸８３に装着され、その一端部は押し当て片８０（８２）の垂直壁８０ａ（８２ａ）の内壁面に、一方、他端部は前述したストッパーピン４４にそれぞれ圧接している。
【００４５】
しかして、外押当て片８０のように外側係止片４７から離れている場合は、機構的には出没部材３を施錠状態にすることができ、一方、内押当て片８２のように内側係止片４６に当たっている場合は、機構的には出没部材３を内側から常に解錠状態（アンチパニック）にすることができる。
【００４６】
なお、符号９１はキー、９２はキャップ、９３は扉、９６はノブ、レバーなどの内側把手で、一方、９７は外側把手である。
【００４７】
次に上記構成に於いて、本発明の主要部の作動状態について説明する。まず図１では外押当て片８０が外側係止片４７から離れており、また回動体１５が施錠の位置にある。回動体１５と連動する電気式アクチュエータ１６の作動杆１８は収縮している。この場合電気式アクチュエータ１６は非通電状態となっており、作動杆１８はその内臓された磁性体の極性に対応して収縮している。スライド押圧片２０は錠ケース１の右側に位置し、外側係止片４７は外開きバネ４９のバネ力により外従動係合板５６から離れている。外側係止片用の規制片３０は外側係止片４７の弧状当接部４７ｂによって押し上げられ、傾倒状態となっている。
【００４８】
したがって、外側把手９７を回転操作しても、作動レバー３６は外側係止片４７を介して回転せず、出没部材３を解錠できない。
【００４９】
ところで、上記の場合外側把手９７を回転操作した場合、図１０で示すように外駆動カム６６は矢印で示す時計方向に回転し、その衝突部６９が受け止め片７０に衝打する。したがって、外駆動カム６６の駆動力がそこで止められ、外従動係合板５６に無理な力が作用しない。
【００５０】
次に図２は室外側から見て、回動体１５がキー９１操作により矢印Ａで示す解錠方向へ回転し、その結果、外側係止片４７が外従動係合板５６に係合している状態を示す。この場合外側把手９７で外駆動カム６６を回転させると、外駆動カム６６の駆動力は各部材に伝達し、出没部材３は錠ケース１内に没入する。
【００５１】
すなわち、回動体１５が矢印Ａ（反時計方向）へ回転すると、連結片２１が第１固定軸２３を支点に矢印Ｂ方向（時計方向）へ回転する。そうすると、スライド押圧片２０は垂直ガイド長孔２４を移動する可動係合ピン２５によって左側に押され、固定ガイドピン２６に案内されながら矢印Ｃ方向（左側）にスライドする。この時電気式アクチュエータ１６の作動杆１８は伸長するが、電気式アクチュエータ１６自体はそのまま非通電状態である。
【００５２】
なお、電気式アクチュエータ１６は制御装置から解錠信号が送られてきた場合には通電状態となり、その作動杆１８が伸長する。そうすると、上記各部材の作動態様は同じである。
【００５３】
この様にキー９１による機械的解錠操作により、又は電気的解錠作動により回動体１５が解錠方向へ回転した場合、規制片３０はスライド押圧片２０の押圧部２０ｃにより押され、第２固定軸３１を支点に矢印Ｄ方向（反時計方向）に回転する。その結果、外側係止片４７は外開きバネ４９のバネ力に抗して下方（時計方向）に回転し、その係止部４７ｃが外従動係合板５６の弧状係合部５８に係合する。
【００５４】
しかして、この解錠状態は、仮に扉９３を閉じても、キー９１による施錠操作又は制御装置から電気式アクチュエータ１６へ施錠信号が送られない限り保持される。したがって、外側把手９７により外駆動カム６６を矢印Ｅ方向（時計方向）に回転させると、作動レバー３６は外従動係合板５６並びに外側係止片４７を介し、第３固定軸３７を支点に回転し、ストッパー１３をその係合頭部３８で押上げながら矢印Ｆ方向（時計方向）に回転する。その結果、出没部材３は錠ケース１内に没入する。
【００５５】
【発明の効果】
以上の説明から明らかなように、本発明にあっては、押え具が錠ケースのフロントに設けられた２個のメネジに扉が左右いずれの側から開くかにより選択的に螺着し、この押え具が前記メネジに螺着すると、施解錠手段がアンチパニックの状態となり、一方、押え具がメネジに螺着していない場合、フロント側に配設された外押し当て片は、外側把手用外駆動カムの駆動力によって回転する外従動係合板と係脱する外側係止片から離間した位置にあるので、扉に錠ケース１を取付けた後に於てもそのままの状態で自由に押え具の螺着位置を変更することにより、内側係止片と外側係止片とを任意に変更設定することができる。
【００５６】
また前記電気式アクチュエーターは、外側からのキー操作によって回動する回動体と連結し、回動体を施解錠するため及び外駆動カムとの関係に於いて、外側係止片、外従動係合板などの施錠手段を施解錠（係脱）すめために使用されているので、構成する部品点数が必然的に少なくなり、それだけ組み立て簡単となる。
【図面の簡単な説明】
図１ないし図１２は本発明の一実施例の各説明図。
【図１】室外側から見て、外側係止片が外従動係合板から離れ、かつ、出没部材を解錠できない状態の概略説明図。
【図２】室外側から見て、回動体がキー操作により解錠方向へ回転し、その結果外側係止片が外従動係合板に係合した状態の概略説明図。
【図３】本発明の要部（スライド押し当て片、規制片等）の斜視図。
【図４】本発明の要部（作動レバー、内側係止片、外側係止片等）の斜視図。
【図５】本発明の要部（内外の駆動カム、内外の従動係合板等）の斜視図。
【図６】錠ケースを扉に取付けた場合に於けるフロント側から見た概略説明図。
【図７】図６に於いて内部構造の要部を示す概略説明図。
【図８】キー操作により回動体が解錠方向へ回転した場合に於けるスライド押し圧片、規制片、外側係止片等の作動状態を示す説明図。
【図９】図８に於ける外側係止片と外従動係合板との係合関係を示す説明図。
【図１０】回動体が施錠状態に位置している場合に於いて、外側把手を回転した場合の外側係止片と外従動係合板との関係を示す説明図。
【図１１】本発明の要部（内外の押し当て片）の説明図。
【図１２】本発明の要部（押し当て片）の斜視図。
【図１３】従来の一例の概略説明図。
【符号の説明】
１…錠ケース、２…フロント、３…出没部材、１０…軸受部材、１３…ストッパー、１５…回動体、１６…電気式アクチュエータ、１８…作動杆、２０…スライド押圧片、２１…連結片、３０…規制片、３０ｃ…規制部、３３…当接ピン、３６…作動レバー、３８…係合頭部、３９…枢支脚部、４１…胴部、４２…仕切りアーム部、４５…枢軸、４６…内側係止片、４６ａ，４７ａ…軸受筒部、４７…外側係止片、５２…バネ装着部材、５５…内従動係合板、５６…外従動係合板、５８…弧状係合部、５９…カム摺接部、６２…内バネ、６３…外バネ、６５…内駆動カム、６６…外駆動カム、７０…受け止め片、８０…外押し当て片、８１…所要空間、８２…内押し当て片、８５…押え具、８６、８７…メネジ、８０ｂ、８２ｂ…押さえ部、９６…内側把手、９７…外側把手。
【図１】
0003581730.tif 000002
【図２】
0003581730.tif 000003
【図３】
0003581730.tif 000004
【図４】
0003581730.tif 000005
【図５】
0003581730.tif 000006
【図６】
0003581730.tif 000007
【図７】
0003581730.tif 000008
【図８】
0003581730.tif 000009
【図９】
0003581730.tif 000010
【図１０】
0003581730.tif 000011
【図１１】
0003581730.tif 000012
【図１２】
0003581730.tif 000013
【図１３】
0003581730.tif 000014